【手続補正書】
【提出日】平成30年9月12日(2018.9.12)
【手続補正１】
【補正対象書類名】特許請求の範囲
【補正対象項目名】全文
【補正方法】変更
【補正の内容】
【特許請求の範囲】
【請求項１】
以下の構造を含む、置換されたフェニル末端ポリシロキサンターポリマー：
【化２８】
2017532411.tif 000001
式中、Ｒ、Ｒ１、Ｒ２およびＲ３は独立して、１から２０の炭素原子を含む直鎖または分岐鎖の脂肪族基、６から１６の炭素原子を含む置換または非置換のアリール基、３から１６の炭素原子を含む脂環式基、３から１６の炭素原子を含む異核芳香族基、３から１６の炭素原子を有し、酸素、窒素または硫黄の少なくとも１つのヘテロ原子を含み、および／または少なくとも１つのエステル、ニトリルまたはハロ基を含むヒドロカルビル基であり、Ｒ１、Ｒ２、およびＲ３は同じ基でなく；Ｒ４は独立して１から１０の炭素原子を有する２価の直鎖または分岐鎖アルキレン基、６から１２の炭素原子を有するアラルキレン基、６から１８の炭素原子を有する非置換または置換のアリーレン基、２から１０の炭素原子を有し少なくとも１つの酸素のヘテロ原子または共有単結合を含むヒドロカルビレン基；Ｒ５は独立して水素、ハロゲン、１から１２の炭素原子を含む脂肪族基、６から１２の炭素原子を含む芳香族基、１から１２の炭素原子を含むアルコキシ基または６から１２の炭素原子を含むアリールオキシ基；Ｒ６は独立してヒドロキシル基、アミン基、カルボン酸クロリド基またはスルホニルハライド基；ｘは１から３００の整数；ｙは１から１００の整数；ｚは１から５０の整数である。
【請求項２】
請求項１の置換されたフェニル末端ポリシロキサンターポリマーを含み：ポリカーボネートホモポリマー、ポリカーボネートコポリマー、ポリカーボネート−ポリエステル、ポリエステル、ポリスルホン、ポリエーテルスルホン、ポリエーテルエーテルケトン、ポリイミド、ポリエーテルイミド、およびこれらの組み合わせからなる群より選択された少なくとも１つのポリマーをさらに含む、組成物。
【請求項３】
請求項２の組成物を含む物品であって、携帯電話のハウジング、冷凍食品サービス設備、ヘルメット、自動車のフロントガラス、オートバイの風防、自動車のサンルーフ、ダッシュボード、ヘッドライト、または電子機器のスクリーンの１つまたはより多くである、物品。
【請求項４】
請求項２の組成物を：成形し、造形し、または形成して物品を作成することを含む、物品の作成方法。
【請求項５】
置換されたフェニル末端ポリシロキサンコポリマーまたはターポリマーの調製方法であって：
（ａ）環状シロキサンをジシロキサンヒドリドと、酸性および／または塩基性触媒の存在下に反応させ、構造式（ＩＩＩ）によって表される構造を有するヒドリド末端ポリシロキサンをもたらし：
【化２９】
2017532411.tif 000002
式中、ＲおよびＲ１は独立して１から２０の炭素原子を含む直鎖または分岐鎖の脂肪族基、６から１６の炭素原子を含む置換または非置換のアリール基、３から１６の炭素原子を含む脂環式基、３から１６の炭素原子を含む異核芳香族基、３から１６の炭素原子を有し、酸素、窒素または硫黄の少なくとも１つのヘテロ原子を含み、および／または少なくとも１つのエステル、ニトリルまたはハロ基を含むヒドロカルビル基であり；ｘは１から３００の整数である工程；
（ｂ）工程（ａ）のヒドリド末端ポリシロキサンを、炭素−炭素２重結合およびヒドロキシル基、アミン基、カルボン酸クロリド基、およびスルホニルハライド基からなる群より選択された少なくとも１つの官能基を有する置換されたフェニル化合物でヒドロシリル化して、置換されたフェニルアルキル末端ポリシロキサンを得る工程；
（ｃ）工程（ｂ）のフェニルアルキル末端ポリシロキサンをヒドリド置換されたポリシロキサンおよび／または環状シロキサンで平衡化して、少なくとも１つのＳｉ−Ｈ（水素化ケイ素）基を含み構造式（ＩＶ）によって表される置換されたフェニルアルキル末端ポリシロキサンを作成し：
【化３０】
2017532411.tif 000003
式中、ＲおよびＲ１は独立して１から２０の炭素原子を含む直鎖または分岐鎖の脂肪族基、６から１６の炭素原子を含む置換または非置換のアリール基、３から１６の炭素原子を含む脂環式基、３から１６の炭素原子を含む異核芳香族基、３から１６の炭素原子を有し、酸素、窒素または硫黄の少なくとも１つのヘテロ原子を含み、および／または少なくとも１つのエステル、ニトリルまたはハロ基を含むヒドロカルビル基であり；Ｒ４は独立して１から１０の炭素原子を有する２価の直鎖または分岐鎖アルキレン基、６から１２の炭素原子を有するアラルキレン基、６から１８の炭素原子を有する非置換または置換のアリーレン基、２から１０の炭素原子を有しエーテルを形成する酸素である少なくとも１つのヘテロ原子または共有単結合を含むヒドロカルビレン基；Ｒ５は独立して水素、ハロゲン、１から１２の炭素原子を含む脂肪族基、６から１２の炭素原子を含む芳香族基、１から１２の炭素原子を含むアルコキシ基または６から１２の炭素原子を含むアリールオキシ基；Ｒ６は独立してヒドロキシル基、アミン基、カルボン酸クロリド基またはスルホニルハライド基；ｘは１から３００の整数；ｙは１から１００の整数である工程；
（ｄ）少なくとも１つのＳｉ−Ｈ（水素化ケイ素）基を含む置換されたフェニルアルキル末端ポリシロキサンを、炭素−炭素２重結合を含有し、また１から１８の炭素原子を含む直鎖または分岐鎖の脂肪族基、６から１４の炭素原子を含む置換または非置換のアリール基、３から１４の炭素原子を含む脂環式基、３から１４の炭素原子を含む異核芳香族基、３から１４の炭素原子を含み、酸素、窒素または硫黄の少なくとも１つのヘテロ原子を含み、および／または少なくとも１つのエステル、ニトリルまたはハロ基を含むヒドロカルビル基を含有する化合物でヒドロシリル化して、構造式（Ｖ）を有する置換されたフェニルアルキル末端ポリシロキサンコポリマーを得て：
【化３１】
2017532411.tif 000004
式中、ＲおよびＲ１は独立して１から２０の炭素原子を含む脂肪族基、６から１６の炭素原子を含む置換または非置換のアリール基、３から１６の炭素原子を含む脂環式基、３から１６の炭素原子を含む異核芳香族基、３から１６の炭素原子を有し、酸素、窒素または硫黄の少なくとも１つのヘテロ原子を含み、および／または少なくとも１つのエステル、ニトリルまたはハロ基を含むヒドロカルビル基であり；Ｒ２は２から２０の炭素原子を含む脂肪族基、８から１６の炭素原子を含む置換または非置換のアリール基、５から１６の炭素原子を含む脂環式基、５から１６の炭素原子を含む異核芳香族基、５から１６の炭素原子を有し、酸素、窒素または硫黄の少なくとも１つのヘテロ原子を含み、および／または少なくとも１つのエステル、ニトリルまたはハロ基を含むヒドロカルビル基である。Ｒ１およびＲ２は同じでなく；Ｒ４は独立して１から１０の炭素原子を有する２価の直鎖または分岐鎖アルキレン基、６から１２の炭素原子を有するアラルキレン基、６から１８の炭素原子を有する非置換または置換のアリーレン基、２から１０の炭素原子を有し少なくとも１つの酸素のヘテロ原子または共有単結合を含むヒドロカルビレン基；Ｒ５は独立して水素、ハロゲン、１から１２の炭素原子を含む脂肪族基、６から１２の炭素原子を含む芳香族基、１から１２の炭素原子を含むアルコキシ基または６から１２の炭素原子を含むアリールオキシ基；Ｒ６は独立してヒドロキシル基、アミン基、カルボン酸クロリド基またはスルホニルハライド基；ｘは１から３００；ｙは１から１００である工程；
（ｅ）工程（ｄ）の置換されたフェニルアルキル末端ポリシロキサンコポリマーを、ヒドリド置換されたポリシロキサンおよび／または環状シロキサンで平衡化して、少なくとも１つのＳｉ−Ｈ（水素化ケイ素）基を含み構造式（ＶＩ）を有する置換されたフェニルアルキル末端ポリシロキサンターポリマーをもたらし：
【化３２】
2017532411.tif 000005
式中、ＲおよびＲ１は独立して１から２０の炭素原子を含む脂肪族基、６から１６の炭素原子を含む置換または非置換のアリール基、３から１６の炭素原子を含む脂環式基、３から１６の炭素原子を含む異核芳香族基、３から１６の炭素原子を有し、酸素、窒素または硫黄の少なくとも１つのヘテロ原子を含み、および／または少なくとも１つのエステル、ニトリルまたはハロ基を含むヒドロカルビル基であり；Ｒ２は２から２０の炭素原子を含む脂肪族基、８から１６の炭素原子を含む置換または非置換のアリール基、５から１６の炭素原子を含む脂環式基、５から１６の炭素原子を含む異核芳香族基、５から１６の炭素原子を有し、酸素、窒素または硫黄の少なくとも１つのヘテロ原子を含み、および／または少なくとも１つのエステル、ニトリルまたはハロ基を含むヒドロカルビル基である。Ｒ１およびＲ２は同じでなく；Ｒ４は独立して１から１０の炭素原子を有する２価の直鎖または分岐鎖アルキレン基、６から１２の炭素原子を有するアラルキレン基、６から１８の炭素原子を有する非置換または置換のアリーレン基、２から１０の炭素原子を有し少なくとも１つの酸素のヘテロ原子または共有単結合を含むヒドロカルビレン基；Ｒ５は独立して水素、ハロゲン、１から１２の炭素原子を含む脂肪族基、６から１２の炭素原子を含む芳香族基、１から１２の炭素原子を含むアルコキシ基または６から１２の炭素原子を含むアリールオキシ基；Ｒ６は独立してヒドロキシル基、アミン基、カルボン酸クロリド基またはスルホニルハライド基；ｘは１から３００；ｙは１から１００そしてｚは１から５０である工程；および
（ｆ）工程（ｅ）の少なくとも１つのＳｉ−Ｈ（水素化ケイ素）基を含む置換されたフェニルアルキル末端ポリシロキサンターポリマーを、炭素−炭素２重結合を含有し、また１から１８の炭素原子を含む直鎖または分岐鎖の脂肪族基、６から１４の炭素原子を含む置換または非置換のアリール基、３から１４の炭素原子を含む脂環式基、３から１４の炭素原子を含む異核芳香族基、３から１４の炭素原子を含み、酸素、窒素または硫黄の少なくとも１つのヘテロ原子を含み、および／または少なくとも１つのエステル、ニトリルまたはハロ基を含むヒドロカルビル基を含有する化合物でヒドロシリル化して、構造式（ＶＩＩ）を有する置換されたフェニルアルキル末端ポリシロキサンターポリマーを得て：
【化３３】
2017532411.tif 000006
式中、ＲおよびＲ１は独立して１から２０の炭素原子を含む直鎖または分岐鎖の脂肪族基、６から１６の炭素原子を含む置換または非置換のアリール基、３から１６の炭素原子を含む脂環式基、３から１６の炭素原子を含む異核芳香族基、３から１６の炭素原子を有し、酸素、窒素および／または硫黄の少なくとも１つのヘテロ原子を含み、または少なくとも１つのエステル、ニトリルまたはハロ基を含むヒドロカルビル基；Ｒ２およびＲ３は独立して２から２０の炭素原子を含む直鎖または分岐鎖の脂肪族基、８から１６の炭素原子を含む置換または非置換のアリール基、５から１６の炭素原子を含む脂環式基、５から１６の炭素原子を含む異核芳香族基、５から１６の炭素原子を有し、酸素、窒素または硫黄の少なくとも１つのヘテロ原子を含み、および／または少なくとも１つのエステル、ニトリルまたはハロ基を含むヒドロカルビル基であり、ここでＲ１、Ｒ２およびＲ３は同じでなく；Ｒ４は独立して１から１０の炭素原子を有する２価の直鎖または分岐鎖アルキレン基、６から１２の炭素原子を有するアラルキレン基、６から１８の炭素原子を有する非置換または置換のアリーレン基、２から１０の炭素原子を有し少なくとも１つの酸素のヘテロ原子または共有単結合を含むヒドロカルビレン基；Ｒ５は独立して水素、ハロゲン、１から１２の炭素原子を含む脂肪族基、６から１２の炭素原子を含む芳香族基、１から１２の炭素原子を含むアルコキシ基または６から１２の炭素原子を含むアリールオキシ基；Ｒ６は独立してヒドロキシル基、アミン基、カルボン酸クロリド基またはスルホニルハライド基；ｘは１から３００；ｙは１から１００；ｚは１から５０である工程
を含む方法。
【請求項６】
置換されたフェニル末端ポリシロキサンコポリマーまたはターポリマーを精製することをさらに含む、請求項５の方法。
【請求項７】
以下の構造式によって表される構造単位を含む、ポリシロキサン−熱可塑性ポリマー：
【化３４】
2017532411.tif 000007
式中、Ｒ、Ｒ１、Ｒ２およびＲ３は独立して、１から２０の炭素原子を含む直鎖または分岐鎖の脂肪族基、６から１６の炭素原子を含む置換または非置換のアリール基、３から１６の炭素原子を含む脂環式基、３から１６の炭素原子を含む異核芳香族基、３から１６の炭素原子を有し、酸素、窒素または硫黄の少なくとも１つのヘテロ原子を含み、および／または少なくとも１つのエステル、ニトリルまたはハロ基を含むヒドロカルビル基であり、ここでＲ１、Ｒ２、およびＲ３は同じ基でなく；Ｒ４は独立して１から１０の炭素原子を有する２価の直鎖または分岐鎖アルキレン基、６から１２の炭素原子を有するアラルキレン基、６から１８の炭素原子を有する非置換または置換のアリーレン基、２から１０の炭素原子を有し少なくとも１つの酸素のヘテロ原子または共有単結合を含むヒドロカルビレン基；Ｒ５は独立して水素、ハロゲン、１から１２の炭素原子を含む脂肪族基、６から１２の炭素原子を含む芳香族基、１から１２の炭素原子を含むアルコキシ基または６から１２の炭素原子を含むアリールオキシ基；Ｒ６は独立してヒドロキシル基、アミン基、カルボン酸クロリド基またはスルホニルハライド基の残基；ｘは１から３００の整数；ｙは１から１００の整数；ｚは１から５０の整数である。
【請求項８】
式（ＶＩＩＩ）を有する構造単位をさらに含み：
【化３５】
2017532411.tif 000008
式中、各々のＲ７は独立して、１から６０の炭素原子を含む炭化水素基、２価の炭化水素基、または構造式（ＩＩ）の構造単位から誘導される基であり：
【化３６】
2017532411.tif 000009
式中、Ｒ８は独立して水素、ハロゲン、１から６の炭素原子を有する脂肪族基、６から８の炭素原子を有する芳香族基、１から６の炭素原子を有するアルコキシ基、またはアリールオキシ基；そしてＲ９は独立してヒドロキシル基、アミン基、酸クロリド基、またはスルホニルハライド基の残基；そしてＸは以下からなる群より選択され：
【化３７】
2017532411.tif 000010
【化３８】
2017532411.tif 000011
【化３９】
2017532411.tif 000012
【化４０】
2017532411.tif 000013
式中、Ｒ１０およびＲ１１は独立して水素、ハロゲン、１から１８の炭素原子を有するアルキル基、３から１４の炭素原子を有するアリール基、６から１０の炭素原子を有するアリールオキシ基、７から２０の炭素原子を有するアラルキル基、１から１０の炭素原子を有するアルコキシ基、６から２０の炭素原子を有するシクロアルキル基、６から２０の炭素原子を有するシクロアルコキシ基、２から１０の炭素原子を有するアルケニル基、アラルキルオキシ基、ニトロ基、アルデヒド基、シアノ基、またはカルボキシル基である、請求項７のポリシロキサン−熱可塑性樹脂ポリマー。
【請求項９】
Ｒ３は独立して４から１５の炭素原子のアルキル直鎖、置換または非置換の芳香族基、またはビニルカルバゾール、アリルフェニルエーテル、ビニルベンジルクロリド、アリルメタクリレート、ジフェニルエチレン、ビニルベンゾシクロブテン、アリルフェニルスルフィド、ビニルベンゾエート、クロロスチレンから誘導される基、Ｒ９はヒドロキシル基、そしてＲ１０は１から６炭素原子のアルキル基である、請求項７のポリシロキサン−熱可塑性樹脂ポリマー。
【請求項１０】
請求項７のポリシロキサン−熱可塑性樹脂ポリマー、およびポリカーボネートホモポリマー、ポリカーボネート−ポリエステル、ポリエステル、ポリスルホン、ポリエーテルスルホン、ポリエーテルエーテルケトン、ポリイミド、ポリエーテルイミド、ポリカーボネートコポリマー、またはこれらの組み合わせの少なくとも１つを含む、組成物。
【請求項１１】
請求項１０の組成物を含む物品であって、携帯電話のハウジング、冷凍食品サービス設備、ヘルメット、自動車のフロントガラス、オートバイの風防、自動車のサンルーフ、ダッシュボード、ヘッドライト、または電子機器のスクリーンの１つまたはより多くである、物品。
【請求項１２】
請求項１０の組成物を：成形し、造形し、または形成して物品を作成することを含む、物品の作成方法。
【請求項１３】
ポリカーボネート−ポリシロキサンコポリマーの調製方法であって、式（Ｉ）の置換されたフェニル末端ポリシロキサンターポリマー：
【化４１】
2017532411.tif 000014
式中、Ｒ、Ｒ１、Ｒ２およびＲ３は独立して、１から２０の炭素原子を含む直鎖または分岐鎖の脂肪族基、６から１６の炭素原子を含む置換または非置換のアリール基、３から１６の炭素原子を含む脂環式基、３から１６の炭素原子を含む異核芳香族基、３から１６の炭素原子を有し、酸素、窒素または硫黄の少なくとも１つのヘテロ原子を含み、および／または少なくとも１つのエステル、ニトリルまたはハロ基を含むヒドロカルビル基であり、ここでＲ１、Ｒ２、およびＲ３は同じ基でなく；Ｒ４は独立して１から１０の炭素原子を有する２価の直鎖または分岐鎖アルキレン基、６から１２の炭素原子を有するアラルキレン基、６から１８の炭素原子を有する非置換または置換のアリーレン基、２から１０の炭素原子を有し少なくとも１つの酸素のヘテロ原子または共有単結合を含むヒドロカルビレン基；Ｒ５は独立して水素、ハロゲン、１から１２の炭素原子を含む脂肪族基、６から１２の炭素原子を含む芳香族基、１から１２の炭素原子を含むアルコキシ基または６から１２の炭素原子を含むアリールオキシ基；Ｒ６は独立してヒドロキシル基、アミン基、カルボン酸クロリド基またはスルホニルハライド基；ｘは１から３００の整数；ｙは１から１００の整数；ｚは１から５０の整数であるものを、
式（ＩＩ）の化合物：
【化４２】
2017532411.tif 000015
式中、Ｒ８は独立して水素、ハロゲン、１から６の炭素原子を有する脂肪族基、６から８の炭素原子を有する芳香族基、１から６の炭素原子を有するアルコキシ基、またはアリールオキシ基；そしてＲ９は独立してヒドロキシル基、アミノ基、カルボン酸クロリド基、またはスルホニルハライド基；そしてＸは以下からなる群より選択され：
【化４３】
2017532411.tif 000016
【化４４】
2017532411.tif 000017
【化４５】
2017532411.tif 000018
【化４６】
2017532411.tif 000019
式中、Ｒ１０、Ｒ１１は独立して水素、ハロゲン、１から１８の炭素原子を有するアルキル基、３から１４の炭素原子を有するアリール基、６から１０の炭素原子を有するアリールオキシ基、７から２０の炭素原子を有するアラルキル基、１から１０の炭素原子を有するアルコキシ基、６から２０の炭素原子を有するシクロアルキル基、６から２０の炭素原子を有するシクロアルコキシ基、２から１０の炭素原子を有するアルケニル基、アラルキルオキシ基、ニトロ基、アルデヒド基、シアノ基、またはカルボキシル基であるものと、
少なくとも１つのカーボネート前駆体の存在下に重合させることを含み、
カーボネート前駆体が、ホスゲン、ジホスゲン、トリホスゲン、ジアリールカーボネート、ビス（メチルサリチル）カーボネート、またはこれらの組み合わせから選択され、
（ｉ）重合工程が、溶媒、および任意選択的に１つまたはより多くの触媒の存在下で行われる界面重合プロセスである、
（ｉｉ）重合工程が、溶媒と、苛性化合物と、任意選択的に１つまたはより多くの触媒の存在下に行われる界面重合プロセスであり、カーボネート前駆体が、ホスゲン、ジホスゲン、トリホスゲン、またはジアリールカーボネート、ビス（メチルサリチル）カーボネート、またはこれらの組み合わせから選択される、
（ｉｉｉ）重合工程が、相間移動触媒の存在下に２相系溶媒中で、ジヒドロキシ芳香族化合物をトリホスゲンと反応させてビスクロロホルメートを形成すること；および置換されたフェニル末端ポリシロキサンコポリマーまたはターポリマーを添加してポリシロキサン−熱可塑性樹脂ポリマーを形成することを含み、ならびに
（ｉｖ）重合工程が、相間移動触媒の存在下に２相系溶媒中で、ジヒドロキシ芳香族化合物をトリホスゲンと反応させてビスクロロホルメートを形成することを含み、ここでジヒドロキシ芳香族化合物の複数のビスクロロホルメートが管式反応器中で形成され、次いで触媒および置換されたフェニル末端ポリシロキサンターポリマーと共に界面重縮合反応器へと添加されることで、ポリシロキサン−熱可塑性樹脂ポリマーが形成される、
からなる群から選択される重合工程の少なくとも１つをさらに含んでもよい、方法。
【請求項１４】
以下の構造を含む、置換されたフェニル末端ポリシロキサンコポリポリマー：
【化４７】
2017532411.tif 000020
式中、Ｒ、Ｒ１、およびＲ３は独立して、１から２０の炭素原子を含む直鎖または分岐鎖の脂肪族基、６から１６の炭素原子を含む置換または非置換のアリール基、３から１６の炭素原子を含む脂環式基、３から１６の炭素原子を含む異核芳香族基、３から１６の炭素原子を有し、酸素、窒素または硫黄の少なくとも１つのヘテロ原子を含み、および／または少なくとも１つのエステル、ニトリルまたはハロ基を含むヒドロカルビル基であり；Ｒ２は３から１６の炭素原子を含む異核芳香族基であり、ここでＲ１、Ｒ２、およびＲ３は同じ基でなく；Ｒ４は独立して１から１０の炭素原子を有する２価の直鎖または分岐鎖アルキレン基、６から１２の炭素原子を有するアラルキレン基、６から１８の炭素原子を有する非置換または置換のアリーレン基、２から１０の炭素原子を有し少なくとも１つの酸素のヘテロ原子または共有単結合を含むヒドロカルビレン基；Ｒ５は独立して水素、ハロゲン、１から１２の炭素原子を含む脂肪族基、６から１２の炭素原子を含む芳香族基、１から１２の炭素原子を含むアルコキシ基または６から１２の炭素原子を含むアリールオキシ基；Ｒ６は独立してヒドロキシル基、アミン基、カルボン酸クロリド基またはスルホニルハライド基；ｘは１から３００の整数；ｙは１から１００の整数；ｚは０であり、ならびにポリカーボネートホモポリマー、ポリカーボネートコポリマー、ポリカーボネート−ポリエステル、ポリエステル、ポリスルホン、ポリエーテルスルホン、ポリエーテルエーテルケトン、ポリイミド、ポリエーテルイミド、およびこれらの組み合わせからなる群より選択された少なくとも１つのポリマーを含む組成物。
【請求項１５】
以下の構造式によって表される構造単位を含む、ポリシロキサン−熱可塑性ポリマー：
【化４８】
2017532411.tif 000021
式中、Ｒ、Ｒ１、およびＲ３は独立して、１から２０の炭素原子を含む直鎖または分岐鎖の脂肪族基、６から１６の炭素原子を含む置換または非置換のアリール基、３から１６の炭素原子を含む脂環式基、３から１６の炭素原子を含む異核芳香族基、３から１６の炭素原子を有し、酸素、窒素または硫黄の少なくとも１つのヘテロ原子を含み、および／または少なくとも１つのエステル、ニトリルまたはハロ基を含むヒドロカルビル基であり；Ｒ２は異核芳香族基であり、ここでＲ１、Ｒ２、およびＲ３は同じ基でなく；Ｒ４は独立して１から１０の炭素原子を有する２価の直鎖または分岐鎖アルキレン基、６から１２の炭素原子を有するアラルキレン基、６から１８の炭素原子を有する非置換または置換のアリーレン基、２から１０の炭素原子を有し少なくとも１つの酸素のヘテロ原子または共有単結合を含むヒドロカルビレン基；Ｒ５は独立して水素、ハロゲン、１から１２の炭素原子を含む脂肪族基、６から１２の炭素原子を含む芳香族基、１から１２の炭素原子を含むアルコキシ基または６から１２の炭素原子を含むアリールオキシ基；Ｒ６は独立してヒドロキシル基、アミン基、カルボン酸クロリド基またはスルホニルハライド基の残基；ｘは１から３００の整数；ｙは１から１００の整数；ｚは０の整数である。